(57)【要約】【課題】ユーザが、画像および当該画像の撮影場所の情報を容易に入手することができる撮影支援サーバを提供する。【解決手段】画像データ提供手段３００が、携帯通信端末３０２の要求に応じて、画像の撮影場所を示す撮影場所情報および画像が撮影された時期を示す撮影時期情報を含む撮影情報が対応付けられた複数の画像データのうち、現在の時期を示す撮影時期情報に対応付けられた画像データを携帯通信端末３０２に提供する。撮影情報提供手段３０１が、画像データ提供手段３００が提供した画像データから携帯通信端末３０２のユーザが選択した画像の画像データに対応する撮影場所情報を携帯通信端末３０２に提供する。【選択図】図８
2011151563.tif 000002
【特許請求の範囲】
【請求項１】
携帯通信端末の要求に応じて、画像の撮影場所を示す撮影場所情報および前記画像が撮影された時期を示す撮影時期情報を含む撮影情報が対応付けられた複数の画像データのうち、現在の時期を示す撮影時期情報に対応付けられた画像データを前記携帯通信端末に提供する画像データ提供手段と、
前記画像データ提供手段が提供した画像データから前記携帯通信端末のユーザが選択した画像の画像データに対応する撮影場所情報を前記携帯通信端末に提供する撮影情報提供手段とを備えた
ことを特徴とする撮影支援サーバ。
【請求項２】
携帯通信端末が送信した前記携帯通信端末の現在位置を示す現在位置情報と、撮影情報提供手段が提供した撮影場所情報によって示される撮影場所とにもとづいて、前記携帯通信端末の現在位置から前記撮影場所への移動経路を示す移動経路情報を生成して前記携帯通信端末に提供する移動経路情報提供手段を含む
請求項１記載の撮影支援サーバ。
【請求項３】
撮影情報は、画像が撮影された場所における撮影方向を示す詳細情報を含み、
撮影情報提供手段は、携帯通信端末に提供した撮影場所情報を含む撮影情報に含まれる詳細情報を前記携帯通信端末に提供する
請求項１または請求項２記載の撮影支援サーバ。
【請求項４】
画像データ提供手段は、複数の画像データを携帯通信端末に提供する場合に、他のユーザによって選択された回数が多い順に画像が前記携帯通信端末に表示されるように構成された画像データを前記携帯通信端末に提供する
請求項１から請求項３のうちいずれか１項記載の撮影支援サーバ。
【請求項５】
画像データ、および画像データに対応する撮影情報はデータベース部に記憶され、
携帯通信端末から送信された画像データと撮影情報とを前記データベース部に転送するアップロード手段を含む
請求項１から請求項４のうちいずれか１項記載の撮影支援サーバ。
【請求項６】
画像の撮影場所を示す撮影場所情報および前記画像が撮影された時期を示す撮影時期情報を含む撮影情報が対応付けられた複数の画像データを記憶するデータベース部と、
前記データベース部に記憶されている前記画像データと前記撮影情報とを撮影機能を有する携帯通信端末に提供する撮影支援サーバとを備え、
前記撮影支援サーバは、
前記データベース部に記憶されている前記撮影情報のうち、現在の時期を示す撮影時期情報に対応付けられた画像データを前記携帯通信端末に提供する画像データ提供手段と、
前記画像データ提供手段が提供した画像データから前記携帯通信端末のユーザが選択した画像の画像データに対応する撮影場所情報を前記データベース部から取り出して前記携帯通信端末に提供する撮影情報提供手段とを含む
ことを特徴とする撮影支援システム。
【請求項７】
撮影支援サーバは、携帯通信端末が送信した前記携帯通信端末の現在位置を示す現在位置情報と、撮影情報提供手段が提供した撮影場所情報によって示される撮影場所とにもとづいて、前記携帯通信端末の現在位置から前記撮影場所への移動経路を示す移動経路情報を生成して前記携帯通信端末に提供する移動経路情報提供手段を含む
請求項６記載の撮影支援システム。
【請求項８】
携帯通信端末の要求に応じて、画像の撮影場所を示す撮影場所情報および前記画像が撮影された時期を示す撮影時期情報を含む撮影情報が対応付けられた複数の画像データのうち、現在の時期を示す撮影時期情報に対応付けられた画像データを前記携帯通信端末に提供し、
提供した前記画像データから前記携帯通信端末のユーザが選択した画像の画像データに対応する撮影場所情報を前記携帯通信端末に提供する
ことを特徴とする撮影支援方法。
【請求項９】
携帯通信端末が送信した前記携帯通信端末の現在位置を示す現在位置情報と、前記携帯通信端末に提供した撮影場所情報によって示される撮影場所とにもとづいて、前記携帯通信端末の現在位置から前記撮影場所への移動経路を示す移動経路情報を生成して前記携帯通信端末に提供する
請求項８記載の撮影支援方法。
【請求項１０】
コンピュータに、
携帯通信端末の要求に応じて、画像の撮影場所を示す撮影場所情報および前記画像が撮影された時期を示す撮影時期情報を含む撮影情報が対応付けられた複数の画像データのうち、現在の時期を示す撮影時期情報に対応付けられた画像データを前記携帯通信端末に提供する画像データ提供処理と、
前記画像データ提供処理で提供した画像データから前記携帯通信端末のユーザが選択した画像の画像データに対応する撮影場所情報を前記携帯通信端末に提供する撮影情報提供処理とを実行させる
ための撮影支援プログラム。
【発明の詳細な説明】
【技術分野】
【０００１】
本発明は、画像の撮影を支援する撮影支援サーバ、撮影支援システム、撮影支援方法、および撮影支援プログラムに関する。
【背景技術】
【０００２】
建造物や風景等を撮影した画像を雑誌に公開したり、通信回線網を介して公開したりするサービスがある。そのようなサービスでは、一般に、撮影場所の情報がテキスト形式で公開される。すなわち、雑誌における画像の近傍に撮影場所の地名が記載されたり、通信回線網を介して画像をダウンロードした場合に、表示画面における画像の表示位置の近傍に撮影場所の地名が表示されたりする。
【０００３】
特許文献１には、ユーザの操作によって選択された地域で撮影された画像と、当該画像が撮影された位置を示す位置情報とを提供するシステムが記載されている。
【０００４】
特許文献２には、ユーザの操作によって一の画像が選択された場合に、当該一の画像が撮影された位置を目的地に設定するナビゲーション装置を含むシステムが記載されている。
【先行技術文献】
【特許文献】
【０００５】
【特許文献１】特開２００２−１１２２５５号公報（段落００２８〜００８３、図１）
【特許文献２】特開２００６−２８７７４１号公報（段落００４６，００６０〜００６７、図１）
【発明の概要】
【発明が解決しようとする課題】
【０００６】
画像を公開する一般的な方法のように、画像の撮影場所の情報がテキスト形式で公開された場合であっても、一般に、撮影場所を特定することは容易でなく、当該画像と同じ場所で同様な画像を撮影することは困難である。
【０００７】
特許文献１に記載されたシステムは、ユーザによって選択されなかった地域の画像に関する情報が提供されない。
【０００８】
特許文献２に記載されたシステムは、記憶手段に記憶されている画像を単に表示手段に表示させてユーザに選択させるので、多くの画像が記憶手段に記憶されている場合には、画像の選択に手間がかかる。従って、複数のユーザによって画像が投稿され、他のユーザに画像を公開するサービスに適用することはできない。
【０００９】
そこで、本発明は、ユーザが、画像および当該画像の撮影場所の情報を容易に入手することができる撮影支援サーバ、撮影支援システム、撮影支援方法、および撮影支援プログラムを提供することを目的とする。
【課題を解決するための手段】
【００１０】
本発明による撮影支援サーバは、携帯通信端末の要求に応じて、画像の撮影場所を示す撮影場所情報および画像が撮影された時期を示す撮影時期情報を含む撮影情報が対応付けられた複数の画像データのうち、現在の時期を示す撮影時期情報に対応付けられた画像データを携帯通信端末に提供する画像データ提供手段と、画像データ提供手段が提供した画像データから携帯通信端末のユーザが選択した画像の画像データに対応する撮影場所情報を携帯通信端末に提供する撮影情報提供手段とを備えたことを特徴とする。
【００１１】
本発明による撮影支援システムは、画像の撮影場所を示す撮影場所情報および画像が撮影された時期を示す撮影時期情報を含む撮影情報が対応付けられた複数の画像データを記憶するデータベース部と、データベース部に記憶されている画像データと撮影情報とを撮影機能を有する携帯通信端末に提供する撮影支援サーバとを備え、撮影支援サーバは、データベース部に記憶されている撮影情報のうち、現在の時期を示す撮影時期情報に対応付けられた画像データを携帯通信端末に提供する画像データ提供手段と、画像データ提供手段が提供した画像データから携帯通信端末のユーザが選択した画像の画像データに対応する撮影場所情報をデータベース部から取り出して携帯通信端末に提供する撮影情報提供手段とを含むことを特徴とする。
【００１２】
本発明による撮影支援方法は、携帯通信端末の要求に応じて、画像の撮影場所を示す撮影場所情報および画像が撮影された時期を示す撮影時期情報を含む撮影情報が対応付けられた複数の画像データのうち、現在の時期を示す撮影時期情報に対応付けられた画像データを携帯通信端末に提供し、提供した画像データから携帯通信端末のユーザが選択した画像の画像データに対応する撮影場所情報を携帯通信端末に提供することを特徴とする。
【００１３】
本発明による撮影支援プログラムは、コンピュータに、携帯通信端末の要求に応じて、画像の撮影場所を示す撮影場所情報および画像が撮影された時期を示す撮影時期情報を含む撮影情報が対応付けられた複数の画像データのうち、現在の時期を示す撮影時期情報に対応付けられた画像データを携帯通信端末に提供する画像データ提供処理と、画像データ提供処理で提供した画像データから携帯通信端末のユーザが選択した画像の画像データに対応する撮影場所情報を携帯通信端末に提供する撮影情報提供処理とを実行させることを特徴とする。
【発明の効果】
【００１４】
本発明によれば、ユーザが、画像および当該画像の撮影場所の情報を容易に入手することができる。
【図面の簡単な説明】
【００１５】
【図１】本発明による撮影支援システムの概要を示す説明図である。
【図２】本発明による撮影支援システムの構成を示すブロック図である。
【図３】撮影支援システムの加入者登録処理を示すフローチャートである。
【図４】撮影支援システムのユーザ認証処理を示すフローチャートである。
【図５】撮影支援システムのショットナビ処理を示すフローチャートである。
【図６】詳細情報の例を示す説明図である。
【図７】フォトストレージ部に記憶されている情報の例を示す説明図である。
【図８】本発明の概要を示すブロック図である。
【発明を実施するための形態】
【００１６】
本発明による撮影支援システムの実施形態について、図面を参照して説明する。図１は、本発明による撮影支援システムの概要を示す説明図である。
【００１７】
図１に示すように、本発明による撮影支援システムであるショットナビゲーションプラットフォーム（Ｓｈｏｏｔ  Ｎａｖｉｇａｔｉｏｎ−Ｐｌａｔｆｏｒｍ：ＳＮ−ＰＦ）１０２は、ウェブサーバ１０３と、ショットナビゲーションアプリケーションサーバ（Ｓｈｏｏｔ  Ｎａｖｉｇａｔｉｏｎ−Ａｐｐｌｉｃａｔｉｏｎ  Ｓｅｒｖｅｒ：ＳＮ−ＡＳ）１０４と、システムデータベース（システムＤＢ）１０５とを含む。
【００１８】
ＳＮ−ＰＦ１０２は、通信ネットワーク１０１を介して鉄道会社や航空会社によって用意された公共交通機関サーバ１０９に接続される。
【００１９】
携帯通信端末１００は、例えば、地磁気センサを備え、撮影機能を有する携帯電話機である。ＳＮ−ＰＦ１０２は、携帯通信端末１００と携帯電話通信網および通信ネットワーク１０１を介して情報を送受信する。また、携帯通信端末１００は、人工衛星１０６から受信したＧＰＳ（Ｇｌｏｂａｌ  Ｐｏｓｉｔｉｏｎｉｎｇ  Ｓｙｓｔｅｍ）信号にもとづいて、自端末の現在位置を示す現在位置情報を生成する。現在位置情報は、例えば、携帯通信端末１００の緯度、経度、および標高によって携帯通信端末１００の現在位置を示す情報である。
【００２０】
また、ＳＮ−ＰＦ１０２は、画像の撮影位置を示す撮影位置情報を画像の撮影場所を示す撮影場所情報に変換する位置情報関連サーバ１０７に通信ネットワーク１０１を介して接続される。なお、撮影位置情報は、例えば、緯度、経度、および標高によって画像の撮影位置を示す情報である。また、撮影場所情報は、例えば、地名によって画像の撮影場所を示す情報である。
【００２１】
図２は、本発明による撮影支援システムの構成を示すブロック図である。図２に示すように、ウェブサーバ１０３は、ＩＦ（Ｉｎｔｅｒｆａｃｅ）部２０６と、認証部２０７と、アプリケーション識別部２０８とを含む。
【００２２】
ＩＦ部２０６は、通信ネットワーク１０１を介して他の装置と情報を送受信する。また、ＩＦ部２０６は通信回線を介してＳＮ−ＡＳ１０４と情報を送受信する。アプリケーション識別部２０８は、通信ネットワーク１０１を介して携帯通信端末１００から受信した情報にもとづいて、携帯通信端末１００で起動されたアプリケーションプログラムを識別する。認証部２０７は、通信ネットワーク１０１を介して携帯通信端末１００から受信した情報にもとづいて、携帯通信端末１００の情報送受信先を識別する。
【００２３】
ＳＮ−ＡＳ１０４は、ＩＦ部２０９と、アプリケーション制御部２１０と、経路作成部２１１と、距離算出部２１２とを含む。
【００２４】
ＩＦ部２０９は、通信回線を介してウェブサーバ１０３およびシステムＤＢ１０５と情報を送受信する。また、ＩＦ部２０９は、通信回線、ウェブサーバ１０３、および通信ネットワーク１０１を介して他の装置と情報を送受信する。アプリケーション制御部（画像データ提供手段、撮影情報提供手段、アップロード手段）２１０は、携帯通信端末１００から送信された情報にもとづく認証処理を行ったり、携帯通信端末１００に撮影支援のための情報を提供したりする。経路作成部（移動経路情報提供手段）２１１は、携帯通信端末１００の現在位置の最寄り駅から撮影位置の最寄り駅までの経路を示す移動経路情報を生成する。距離算出部２１２は、携帯通信端末１００の現在位置と撮影位置との間の距離を算出する。
【００２５】
システムＤＢ１０５は、ＩＦ部２１３と、個人情報管理部２１４と、路線情報管理部２１５と、アクセスランキング部２１６と、フォトストレージ部２１７とを含む。
【００２６】
ＩＦ部２１３は、通信回線を介してＳＮ−ＡＳ１０４と情報を送受信する。また、ＩＦ部２１３は、通信回線、ＳＮ−ＡＳ１０４、ウェブサーバ１０３、および通信ネットワーク１０１を介して他の装置と情報を送受信する。個人情報管理部２１４は、ユーザ情報を管理する。路線情報管理部２１５は、各路線の駅の位置を示す駅位置情報を管理する。駅位置情報は、例えば、緯度、経度、および標高によって駅の位置を示す情報である。
【００２７】
フォトストレージ部２１７は、撮影された画像の画像データと、当該画像が撮影された場所の地名を示す撮影場所情報、撮影された日付を示す撮影日付情報、撮影された季節を示す季節ＩＤ、および画像を撮影した方向を示す詳細情報を含む撮影情報とを対応付けて記憶する。アクセスランキング部２１６は、フォトストレージ部２１７に記憶されている画像データにもとづく画像をユーザによって閲覧された回数が多い順に順位付けする。
【００２８】
また、携帯通信端末１００は、ＩＦ部２００と、アプリケーション部２０１と、ナビゲーション部２０２とを含む。
【００２９】
ＩＦ部２００は、人工衛星１０６から信号を受信する。また、ＩＦ部２００は、通信ネットワーク１０１を介して他の装置と情報を送受信する。アプリケーション部２０１は、ユーザの操作に応じて、搭載されているアプリケーションプログラムを起動し、起動したアプリケーションプログラムの制御に従って処理を実行する。ナビゲーション部２０２は、ＳＮ−ＡＳ１０４から送信された情報にもとづく画面を表示手段（図示せず）に表示させる。
【００３０】
また、位置情報関連サーバ１０７は、ＩＦ部２０３と、測位部２０４と、地図情報管理部２０５とを含む。
【００３１】
ＩＦ部２０３は、通信ネットワーク１０１を介して他の装置と情報を送受信する。地図情報管理部２０５は、例えば、緯度、経度、および標高によって示される位置の情報と、地名によって示される場所の情報とを対応付けて記憶する。測位部２０４は、地図情報管理部２０５に記憶されている情報にもとづいて、場所の情報を位置の情報に変換する。
【００３２】
公共交通機関サーバ１０９は、ＩＦ部２１８と、アプリケーション制御部２１９と、運行管理部２２０と、予約情報格納部２２１とを含む。
【００３３】
ＩＦ部２１８は、通信ネットワーク１０１を介して他の装置と情報を送受信する。運行管理部２２０は、列車や航空機の運行予定や、列車の乗車券や航空機の搭乗券（以下、チケットという）の発券管理を行う。予約情報格納部２２１は、ユーザ毎に列車や航空機のチケットの予約状況を管理する。
【００３４】
次に、本発明による撮影支援システムの動作について、図面を参照して説明する。まず、加入者登録処理について説明する。図３は、撮影支援システムの加入者登録処理を示すフローチャートである。
【００３５】
携帯通信端末１００のアプリケーション部２０１は、ユーザの操作に従って、撮影支援システムを利用するアプリケーションプログラム（以下、ショットナビアプリという）を起動し、表示手段に加入者情報の入力を要求する画面を表示させる。加入者情報は、例えば、ユーザの住所、氏名、年齢、性別を含む情報である。また、加入者情報は、携帯通信端末１００を識別する端末識別子を含む。
【００３６】
携帯通信端末１００のアプリケーション部２０１は、要求に応じたユーザによって加入者情報が入力された場合に、ＩＦ部２００、および通信ネットワーク１０１を介してウェブサーバ１０３に、加入者情報、ショットナビアプリを示すサービス識別子、および加入者登録要求を示す登録依頼符号（例えば、「１」）を送信する。
【００３７】
ウェブサーバ１０３のＩＦ部２０６は、携帯通信端末１００が送信した加入者情報、サービス識別子、および登録依頼符号を受信する（ステップＳ１０１）。アプリケーション識別部２０８は、ＩＦ部２０６が受信したサービス識別子にもとづいて、携帯通信端末１００で起動されたアプリケーションプログラムを識別する。
【００３８】
認証部２０７は、アプリケーション識別部２０８がサービス識別子によってショットナビアプリが示されていると判断した場合に、ＩＦ部２０６が受信した登録依頼符号によって加入者登録要求が示されているか否か判断する。具体的には、認証部２０７は、例えば、登録依頼符号が「１」であるか否か判断する。認証部２０７は、ＩＦ部２０６が受信した登録依頼符号によって加入者登録要求が示されている場合に、通信回線を介してＳＮ−ＡＳ１０４に加入者情報と登録依頼符号とを送信する（ステップＳ１０２）。
【００３９】
認証部２０７は、ＩＦ部２０６が受信した登録依頼符号によって加入者登録要求が示されていない場合に（具体的には、例えば、登録依頼符号が「０」である場合に）、ＩＦ２０６が受信した情報を破棄して処理を終了する。
【００４０】
ＳＮ−ＡＳ１０４のＩＦ部２０９は、ウェブサーバ１０３が送信した加入者情報と登録依頼符号とを受信する。アプリケーション制御部２１０は、ＩＦ部２０９が加入者情報と登録依頼符号とを受信した場合に、通信回線を介してシステムＤＢ１０５に加入者情報を送信する。
【００４１】
システムＤＢ１０５のＩＦ部２１３は、ＳＮ−ＡＳ１０４が送信した加入者情報を受信して、個人情報管理部２１４に格納する（ステップＳ１０３）。
【００４２】
また、ＳＮ−ＡＳ１０４のアプリケーション制御部２１０は、システムＤＢ１０５に送信した加入者情報が個人情報管理部２１４に格納された場合に、通信回線、ウェブサーバ１０３、および通信ネットワーク１０１を介して携帯通信端末１００に格納完了通知を送信する（ステップＳ１０４）。
【００４３】
携帯通信端末１００のアプリケーション部２０１は、ＩＦ部２００が格納完了通知を受信した場合に、表示手段に、加入者登録が正常に完了したことを示す画面を表示させる。
【００４４】
次に、ユーザ認証処理について説明する。図４は、撮影支援システムのユーザ認証処理を示すフローチャートである。
【００４５】
携帯通信端末１００のＩＦ部２００は、ユーザによってショットナビアプリの起動操作が行われた場合に、通信ネットワーク１０１を介して、ウェブサーバ１０３に、端末識別子を含み、認証処理を要求する情報である認証要求情報とショットナビアプリを示すサービス識別子とを送信する。
【００４６】
ウェブサーバ１０３のＩＦ部２０６は、携帯通信端末１００が送信した認証要求情報とサービス識別子とを受信する（ステップＳ２０１）。アプリケーション識別部２０８は、ＩＦ部２０６が受信したサービス識別子にもとづいて、携帯通信端末１００で起動されたアプリケーションプログラムを識別する。
【００４７】
認証部２０７は、アプリケーション識別部２０８がサービス識別子によってショットナビアプリが示されていると判断した場合に、通信回線を介して、ＳＮ−ＡＳ１０４にＩＦ部２０６が受信した認証要求情報を送信する（ステップＳ２０２）。
【００４８】
ＳＮ−ＡＳ１０４のＩＦ部２０９は、ウェブサーバ１０３が送信した認証要求情報を受信する。そして、アプリケーション制御部２１０は、ＩＦ部２０９が受信した認証要求情報に含まれる端末識別子とシステムＤＢ１０５の個人情報管理部２１４に記憶されている加入者情報に含まれる端末識別子とが合致するか否かの加入者照合処理を行う（ステップＳ２０３）。
【００４９】
アプリケーション制御部２１０は、通信回線、ウェブサーバ１０３、および通信ネットワーク１０１を介して、携帯通信端末１００に認証結果を通知する（ステップＳ２０４）。具体的には、アプリケーション制御部２１０は、加入者照合処理で端末識別子が合致すると判断した場合に、携帯通信端末１００に認証完了を通知する。また、アプリケーション制御部２１０は、加入者照合処理で端末識別子が合致しないと判断した場合に、携帯通信端末１００に認証失敗を通知する。
【００５０】
携帯通信端末１００のアプリケーション部２０１は、ＳＮ−ＡＳ１０４から認証失敗を通知された場合に、表示手段に加入者情報の入力を要求する画面を表示させ、加入者登録処理に移行する。また、アプリケーション部２０１は、ＳＮ−ＡＳ１０４から認証完了を通知された場合に、ショットナビアプリを起動する。
【００５１】
アプリケーション部２０１は、ショットナビアプリを起動したときに、表示手段に、撮影支援システムを利用して撮影場所に移動するのか、撮影場所で画像を撮影して当該画像の画像データをアップロードするのかの選択をユーザに要求する画面を表示させる。撮影支援システムを利用して撮影場所に移動することを選択された場合には、後述するショットナビ処理に移行する。また、撮影場所で画像を撮影して当該画像の画像データをアップロードすることを選択された場合には、後述するアップロード処理に移行する。
【００５２】
次に、ショットナビ処理について説明する。図５は、撮影支援システムのショットナビ処理を示すフローチャートである。
【００５３】
携帯通信端末１００のアプリケーション部２０１は、ユーザによって撮影支援システムを利用して撮影場所に移動することを選択する操作がなされた場合に、通信ネットワーク１０１、ウェブサーバ１０３、通信回線、およびＳＮ−ＡＳ１０４を介して、システムＤＢ１０５に、現在の季節と季節ＩＤが合致する写真一覧の提示を依頼する（ステップＳ３０１）。
【００５４】
なお、アプリケーション部２０１は、例えば、現在の日付が春分の日から夏至の日の前日までの間である場合に現在の季節が春であるとして季節ＩＤが「１」の写真一覧の提示を依頼し、現在の日付が夏至の日から秋分の日の前日までの間である場合に現在の季節が夏であるとして季節ＩＤが「２」の写真一覧の提示を依頼し、現在の日付が秋分の日から冬至の日の前日までの間である場合に現在の季節が秋であるとして季節ＩＤが「３」の写真一覧の提示を依頼し、現在の日付が冬至の日から春分の日の前日までの間である場合に現在の季節が冬であるとして季節ＩＤが「４」の写真一覧の提示を依頼する。
【００５５】
システムＤＢ１０５のアクセスランキング部２１６は、携帯通信端末１００の依頼に応じて、フォトストレージ部２１７に記憶されている画像データのうち、現在の季節を示す季節ＩＤに合致する季節ＩＤの画像データを抽出する。そして、通信回線を介してＳＮ−ＡＳ１０４に、抽出した複数の画像データにもとづく複数の画像が順位の降順に表示されるように並べられた画像データであるランキングリスト形式画像データを送信する。ＳＮ−ＡＳ１０４のＩＦ部２０８は、システムＤＢ１０５が送信したランキングリスト形式画像データを受信する。ＳＮ−ＡＳ１０４のアプリケーション制御部２１０は、通信回線、ウェブサーバ１０３、および通信ネットワーク１０１を介して、携帯通信端末１００にＩＦ部２０８が受信したランキングリスト形式画像データを送信する（ステップＳ３０２）。
【００５６】
携帯通信端末１００のＩＦ部２００は、ＳＮ−ＡＳ１０４が送信したランキングリスト形式画像データを受信する。アプリケーション部２０１は、ＩＦ部２００が受信したランキングリスト形式画像データにもとづく画像を表示手段に表示させる。
【００５７】
携帯通信端末１００のアプリケーション部２０１は、ユーザによって一の画像を選択する操作がなされた場合に、通信ネットワーク１０１、およびウェブサーバ１０３を介してＳＮ−ＡＳ１０４に、選択された画像を示す選択情報を送信する。ＳＮ−ＡＳ１０４のＩＦ部２０９は、携帯通信端末１００が送信した選択情報を受信する。アプリケーション制御部２１０は、通信回線を介してシステムＤＢ１０５にＩＦ部２０９が受信した選択情報を送信する。
【００５８】
システムＤＢ１０５のＩＦ部２１３は、ＳＮ−ＡＳ１０４が送信した選択情報を受信する。アクセスランキング部２１６は、フォトストレージ部２１７が記憶している画像データのうち、ＩＦ部２１３が受信した選択情報によって示される画像の画像データのアクセスカウンタの値を１加算する。つまり、閲覧された回数を１増やす。そして、アクセスランキング部２１６は、フォトストレージ部２１７が記憶している画像データの順位を更新する（ステップＳ３０３）。
【００５９】
ＳＮ−ＡＳ１０４のアプリケーション制御部２１０は、ＩＦ部２０９が受信した選択情報によって示される画像の画像データに対応付けられて記憶されている撮影情報をシステムＤＢ１０５のフォトストレージ部２１７から読み出す（ステップＳ３０４）。
【００６０】
また、ＳＮ−ＡＳ１０４のアプリケーション制御部２１０は、通信ネットワーク１０１、およびウェブサーバ１０３を介して、携帯通信端末１００に、自端末の現在位置を示す現在位置情報を生成し、ＳＮ−ＡＳ１０４への送信を要求する情報を送信する（ステップＳ３０５）。
【００６１】
携帯通信端末１００のＩＦ部２００は、ＳＮ−ＡＳ１０４の要求に応じて人工衛星１０６が送信したＧＰＳ信号を受信する。アプリケーション部２０１は、ＩＦ部２００が受信したＧＰＳ信号にもとづいて現在位置を示す現在位置情報を生成し、通信ネットワーク１０１、ウェブサーバ１０３、および通信回線を介してＳＮ−ＡＳ１０４に、生成した現在位置情報を送信する。
【００６２】
ＳＮ−ＡＳ１０４のＩＦ部２０９は、携帯通信端末１００が送信した現在位置情報を受信して（ステップＳ３０６）、経路作成部２１１と距離算出部２１２とにそれぞれ入力する。また、ＳＮ−ＡＳ１０４のＩＦ部２０９は、システムＤＢ１０５に携帯通信端末１００が送信した現在位置情報を送信する。システムＤＢ１０５のＩＦ部２１３は、送信された現在位置情報を受信して、路線情報管理部２１５に入力する。
【００６３】
ＳＮ−ＡＳ１０４のアプリケーション制御部２１０は、通信回線を介してシステムＤＢ１０６に、ステップＳ３０４の処理で読み出した撮影情報に含まれる撮影場所情報を送信する。システムＤＢ１０６のＩＦ部２１３は、路線情報管理部２１５に、ＳＮ−ＡＳ１０４が送信した撮影場所情報を入力する。また、ＳＮ−ＡＳ１０４のアプリケーション制御部２１０は、経路作成部２１１に、ステップＳ３０４の処理で読み出した撮影情報に含まれる撮影場所情報を入力する。
【００６４】
ＳＮ−ＡＳ１０４のアプリケーション制御部２１０は、通信回線、ウェブサーバ１０３、および通信ネットワーク１０１を介して位置情報関連サーバ１０７に、ステップＳ３０４の処理で読み出した撮影情報に含まれる撮影場所情報を送信する（ステップＳ３０７）。位置情報関連サーバ１０７のＩＦ部２０３は、ＳＮ−ＡＳ１０４が送信した撮影場所情報を受信する。
【００６５】
測位部２０４は、地図情報管理部２０５に記憶されている情報にもとづいて、撮影場所情報を撮影位置情報に変換し、通信ネットワーク１０１、ウェブサーバ１０３、および通信回線を介してＳＮ−ＡＳ１０４とシステムＤＢ１０５とに送信する。
【００６６】
ＳＮ−ＡＳ１０４のＩＦ部２０９は、位置情報関連サーバ１０７が送信した撮影位置情報を受信して（ステップＳ３０８）、経路作成部２１１および距離算出部２１２に入力する。また、システムＤＢ１０５のＩＦ部２１３は、位置情報関連サーバ１０７が送信した撮影位置情報を受信して、路線情報管理部２１５に入力する。
【００６７】
ＳＮ−ＡＳ１０４の距離算出部２１２は、ステップＳ３０６の処理で携帯通信端末１００が送信した携帯通信端末１００の現在位置を示す現在位置情報と、ステップＳ３０９の処理で位置情報関連サーバ１０７が送信した撮影位置を示す撮影位置情報とにもとづいて、携帯通信端末１００の現在位置と撮影位置と間の距離を算出する（ステップＳ３０９）。距離算出部２１２は、算出した距離を経路作成部２１１に入力する。なお、ＳＮ−ＡＳ１０４のＩＦ部２０９は、通信回線、ウェブサーバ１０３、および通信ネットワーク１０１を介して携帯通信端末１０１に、距離算出部２１２が算出した現在位置と撮影位置と間の距離を送信してもよい。
【００６８】
路線情報管理部２１５は、ステップＳ３０６の処理で携帯通信端末１００が送信した携帯通信端末１００の現在位置を示す現在位置情報と駅位置情報とにもとづいて携帯通信端末１００の現在位置の最寄り駅を検索し、ステップＳ３０９の処理で位置情報関連サーバ１０７が送信した撮影位置を示す撮影位置情報と駅位置情報とにもとづいて撮影位置の最寄り駅を検索する。なお、路線情報管理部２１５は、撮影場所情報にもとづいて、撮影位置の最寄り駅を検索してもよい。
【００６９】
システムＤＢ１０５のＩＦ部２１３は、通信回線を介してＳＮ−ＡＳ１０４に、路線情報管理部２１５の検索結果である携帯通信端末１００の現在位置の最寄り駅と撮影位置の最寄り駅とを示す情報を送信する。ＳＮ−ＡＳ１０４のＩＦ部２０９は、システムＤＢ１０５が送信した携帯通信端末１００の現在位置の最寄り駅と撮影位置の最寄り駅とを示す情報を経路作成部２１１に入力する。
【００７０】
経路作成部２１１は、入力された情報にもとづいて、現在位置の最寄り駅から撮影位置の最寄り駅までの経路を検索する（ステップＳ３１０）。経路作成部２１１は、通信回線、ウェブサーバ１０３、および通信ネットワーク１０１を介して携帯通信端末１００に、検索結果の経路を示す移動経路情報を送信する（ステップＳ３１１）。
【００７１】
携帯通信端末１００のＩＦ部２００は、システムＤＢ１０５が送信した移動経路情報を受信する。アプリケーション部２０１は、ＩＦ部２００が受信した移動経路情報にもとづいて、現在位置から撮影場所までの経路を示す画面を表示手段に表示させる。なお、経路作成部２１１は、移動経路情報によって示される経路で移動した場合の料金を算出して、携帯通信端末１００に算出結果を示す料金情報を送信するように構成されていてもよい。また、経路作成部２１１は、撮影場所情報を携帯通信端末１００に送信して、撮影場所情報にもとづく撮影場所の地名を表示手段に表示させるように構成されていてもよい。
【００７２】
携帯通信端末１００のＩＦ部２００は、ユーザの操作に応じて、通信ネットワーク１０１を介して公共交通機関サーバ１０９に、現在位置の最寄り駅から撮影位置の最寄り駅までの列車や航空機のチケットの予約を要求する情報を送信する。公共交通機関サーバ１０９のアプリケーション制御部２１９は、運行管理部２２０が管理する列車や航空機の運行状況の情報にもとづいて、携帯通信端末１００の要求に応じた列車や航空機のチケットを予約する。予約情報格納部２２１は、予約内容を示す情報を携帯通信端末１００のユーザを示す情報に対応付けて格納する。
【００７３】
ユーザが携帯通信端末１００を携帯して撮影場所に移動し、携帯通信端末１００に撮影開始操作がなされると、アプリケーション部２０１は、通信ネットワーク１０１、およびウェブサーバ１０３を介してＳＮ−ＡＳ１０４に撮影情報に含まれる詳細情報の送信を要求する情報を送信する。
【００７４】
ＳＮ−ＡＳ１０４のアプリケーション制御部２１０は、携帯通信端末１００の要求に応じて、通信回線、ウェブサーバ１０３、および通信ネットワーク１０１を介して携帯通信端末１００に、ステップＳ３０４の処理で読み出した撮影情報に含まれる詳細情報を送信する（ステップＳ３１２）。
【００７５】
携帯通信端末１００のＩＦ部２００は、ＳＮ−ＡＳ１０４が送信した詳細情報を受信する。アプリケーション部２０１は、ナビゲーション部２０２にＩＦ部２００が受信した詳細情報を入力する。ナビゲーション部２０２は、詳細情報によって示される画像の撮影方向を指示する画面を表示手段に表示させる。
【００７６】
次に、アップロード処理について説明する。携帯通信端末１００のアプリケーション部２０１は、ユーザによって、撮影場所で画像を撮影して当該画像の画像データをアップロードすることを選択する操作がなされた場合に、撮影操作がなされたときに、自携帯通信端末１００が備える地磁気センサの検出結果にもとづく撮影方向を示す詳細情報、撮影日付を示す撮影日付情報、撮影された季節を識別する季節ＩＤ、および人工衛星１０６から受信したＧＰＳ信号にもとづく撮影位置情報を含む撮影情報を生成する。
【００７７】
図６は、詳細情報の例を示す説明図である。図６に示す例では、詳細情報は、携帯通信端末１００の左右方向を軸（図６においてａで示す軸）として水平面からの回転角度（つまり、仰角や俯角）であるピッチ角αと、携帯通信端末１００の上下方向を軸（図６においてｂで示す軸）として北方向からの回転角度（つまり、水平面上で経線と撮影方向とがなす角）である方位角βと、携帯通信端末１００の前後方向を軸（図６においてｃで示す軸）として水平面からの回転角度（つまり、撮影方向の面上で携帯通信端末１００を傾けた角度）であるロール角γとを含む情報である。なお、携帯通信端末１００が傾斜センサを備え、アプリケーション部２０１が傾斜センサによる測定結果にもとづいて詳細情報を生成するように構成されていてもよい。
【００７８】
アプリケーション部２０１は、例えば、撮影日が、春分の日から夏至の日の前日までの間である場合に春とし、夏至の日から秋分の日の前日までの間である場合に夏とし、秋分の日から冬至の日の前日までの間である場合に秋とし、冬至の日から春分の日の前日までの間である場合に冬として、春に撮影された場合に季節ＩＤを「１」とし、夏に撮影された場合に季節ＩＤを「２」とし、秋に撮影された場合に季節ＩＤを「３」とし、冬に撮影された場合に季節ＩＤを「４」とする。
【００７９】
なお、携帯通信端末１００のアプリケーション部２０１は、通信ネットワーク１０１を介して位置情報関連サーバ１０７に撮影位置情報を送信して、撮影場所情報への変換を要求し、要求に応じて撮影位置情報が変換された撮影場所情報を含む撮影情報を生成するように構成されていてもよい。
【００８０】
アプリケーション部２０１は、撮影終了後に、表示手段に撮影した画像を表示させる。そして、アプリケーション部２０１は、表示手段に、画像をアップロードするのか、撮影し直すのかをユーザに選択させる画面を表示させる。
【００８１】
アプリケーション部２０１は、ユーザによって撮影し直すことを選択する操作がなされた場合に、アップロード処理を最初からやり直す。また、アプリケーション部２０１は、ユーザによって画像をアップロードすることを選択する操作がなされた場合に、通信ネットワーク１０１、およびウェブサーバ１０３を介してＳＮ−ＡＳ１０４に、生成した撮影情報と撮影した画像の画像データとを送信する。
【００８２】
ＳＮ−ＡＳ１０４のＩＦ部２０９は、携帯通信端末１００が送信した撮影情報と画像データとを受信する。アプリケーション制御部２１０は、システムＤＢ１０５のフォトストレージ部２１７にＩＦ部２０９が受信した画像データと撮影情報とを送信する。フォトストレージ部２１７は、送信された画像データと撮影情報とを対応付けて記憶する。
【００８３】
図７は、フォトストレージ部２１７に記憶されている情報の例を示す説明図である。図７に示す例では、画像データを識別するフォトＩＤ「１」の画像は、アクセスカウンタの値が２０００であり、ランキングが３位である。そして、フォトストレージ部２１７に、「１」である季節ＩＤと、Ａ月Ｂ日に撮影されたことを示す撮影日付情報と、Ｃ県Ｄ市で撮影されたことを示す撮影場所情報と、撮影方向が（α１，β１，γ１）であることを示す詳細情報とを含む撮影情報が記憶されていることが示されている。また、撮影位置情報が（Ｘ１，Ｙ１，Ｚ１）であることが示されている。
【００８４】
また、画像データを識別するフォトＩＤ「２」の画像は、アクセスカウンタの値が５００であり、ランキングが４位である。そして、フォトストレージ部２１７に、「２」である季節ＩＤと、Ｅ月Ｆ日に撮影されたことを示す撮影日付情報と、Ｇ県Ｈ市で撮影されたことを示す撮影場所情報と、撮影方向が（α２，β２，γ２）であることを示す詳細情報とを含む撮影情報が記憶されていることが示されている。また、撮影位置情報が（Ｘ２，Ｙ２，Ｚ２）であることが示されている。
【００８５】
画像データを識別するフォトＩＤ「３」の画像は、アクセスカウンタの値が３０００であり、ランキングが１位である。そして、フォトストレージ部２１７に、「３」である季節ＩＤと、Ｉ月Ｊ日に撮影されたことを示す撮影日付情報と、Ｋ県Ｌ市で撮影されたことを示す撮影場所情報と、撮影方向が（α３，β３，γ３）であることを示す詳細情報とを含む撮影情報が記憶されていることが示されている。また、撮影位置情報が（Ｘ３，Ｙ３，Ｚ３）であることが示されている。
【００８６】
なお、図７に示す例では、撮影場所情報は、都道府県名と市町村名とを含むが、さらに詳細な地名や番地を示す情報が含まれていてもよい。また、フォトストレージ部２１７が複数のストレージ装置によって構成され、各ストレージ装置に情報が記憶されている場合には、図７に示すように、各ストレージ装置を識別するストレージＩＤに対応付けられて各情報がフォトストレージ部２１７に記憶されていてもよい。
【００８７】
本実施形態によれば、ユーザに、他のユーザによって現在の季節に撮影された画像のランキングリストを提示し、選択された画像の撮影情報を提供するので、ユーザは人気がある画像の撮影情報を容易に取得することができる。そして、ユーザに、撮影情報にもとづく撮影方向等の指示をすることが可能になる。
【００８８】
また、現在位置から撮影場所までの移動経路情報を提供するので、ユーザは、容易に撮影場所まで移動することができる。
【００８９】
ユーザに提供する撮影情報に撮影方向を示す詳細情報が含まれているので、ユーザは、人気がある画像を選択して、容易に同様な画像を撮影することができる。
【００９０】
携帯通信端末１００によって撮影された画像データと撮影情報とがアップロードされるので、画像データと撮影情報とを他のユーザに提供し、共有することができる。そして、他のユーザが、アップロードされた撮影情報を利用することができる。
【００９１】
次に、本発明の概要について説明する。図８は、本発明の概要を示すブロック図である。図８に示すように、本発明による撮影支援サーバ３０３は、画像データ提供手段３００と撮影情報提供手段３０１とを含む。
【００９２】
画像データ提供手段３００は、携帯通信端末３０２の要求に応じて、画像の撮影場所を示す撮影場所情報および画像が撮影された時期を示す撮影時期情報を含む撮影情報が対応付けられた複数の画像データのうち、現在の時期を示す撮影時期情報に対応付けられた画像データを携帯通信端末３０２に提供する。
【００９３】
撮影情報提供手段３０１は、画像データ提供手段３００が提供した画像データから携帯通信端末３０２のユーザが選択した画像の画像データに対応する撮影場所情報を携帯通信端末３０２に提供する。
【００９４】
そのような構成によれば、携帯通信端末３０２のユーザが、画像および当該画像の撮影場所の情報を容易に入手することができる。
【００９５】
また、上記の各実施形態では、以下の（１）〜（４）に示すような撮影支援サーバも開示されている。
【００９６】
（１）携帯通信端末３０２が送信した携帯通信端末３０２の現在位置を示す現在位置情報と、撮影情報提供手段３０１が提供した撮影場所情報によって示される撮影場所とにもとづいて、携帯通信端末３０２の現在位置から撮影場所への移動経路を示す移動経路情報を生成して携帯通信端末に提供する移動経路情報提供手段を含む撮影支援サーバ。
【００９７】
（２）撮影情報は、画像が撮影された場所における撮影方向を示す詳細情報を含み、撮影情報提供手段３０１が、携帯通信端末３０２に提供した撮影場所情報を含む撮影情報に含まれる詳細情報を携帯通信端末３０２に提供する撮影支援サーバ。
【００９８】
（３）画像データ提供手段３００が、複数の画像データを携帯通信端末３０２に提供する場合に、他のユーザによって選択された回数が多い順に画像が携帯通信端末３０２に表示されるように構成された画像データを携帯通信端末３０２に提供する撮影支援サーバ。
【００９９】
（４）画像データ、および画像データに対応する撮影情報はデータベース部に記憶され、携帯通信端末３０２から送信された画像データと撮影情報とをデータベース部に転送するアップロード手段を含む撮影支援サーバ。
【産業上の利用可能性】
【０１００】
本発明を画像の撮影を支援するシステムに適用する事ができる。
【０１０１】
（付記１）コンピュータに、携帯通信端末の要求に応じて、画像の撮影場所を示す撮影場所情報および前記画像が撮影された時期を示す撮影時期情報を含む撮影情報が対応付けられた複数の画像データのうち、現在の時期を示す撮影時期情報に対応付けられた画像データを前記携帯通信端末に提供する画像データ提供処理と、前記画像データ提供処理で提供した画像データから前記携帯通信端末のユーザが選択した画像の画像データに対応する撮影場所情報を前記携帯通信端末に提供する撮影情報提供処理とを実行させるための撮影支援プログラム。
【０１０２】
（付記２）コンピュータに、携帯通信端末が送信した前記携帯通信端末の現在位置を示す現在位置情報と、撮影情報提供処理で提供した撮影場所情報によって示される撮影場所とにもとづいて、前記携帯通信端末の現在位置から前記撮影場所への移動経路を示す移動経路情報を生成して前記携帯通信端末に提供する移動経路情報提供処理を実行させる付記１記載の撮影支援プログラム。
【符号の説明】
【０１０３】
１００、３０２  携帯通信端末
１０１  通信ネットワーク
１０２  ＳＮ−ＰＦ
１０３  ウェブサーバ
１０４  ＳＮ−ＡＳ
１０５  システムＤＢ
１０６  人工衛星
１０７  位置情報関連サーバ
１０９  公共交通機関サーバ
２００、２０３、２０６、２０９、２１３、２１８  ＩＦ部
２０１  アプリケーション部
２０２  ナビゲーション部
２０４  測位部
２０５  地図情報管理部
２０７  認証部
２０８  アプリケーション識別部
２１０、２１９  アプリケーション制御部
２１１  経路作成部
２１２  距離算出部
２１４  個人情報管理部
２１５  路線情報管理部
２１６  アクセスランキング部
２１７  フォトストレージ部
２２０  運行管理部
２２１  予約情報格納部
３００  画像データ提供手段
３０１  撮影情報提供手段
３０３  撮影支援サーバ
【図１】
2011151563.tif 000003
【図２】
2011151563.tif 000004
【図３】
2011151563.tif 000005
【図４】
2011151563.tif 000006
【図５】
2011151563.tif 000007
【図６】
2011151563.tif 000008
【図７】
2011151563.tif 000009
【図８】
2011151563.tif 000010